(57)【要約】【課題】利用者が現在地点にいることを実感することのできる環境音をデータベースから選択すること。【解決手段】位置取得部１０１によって利用者の現在地点の位置情報を取得する。そして、判断部１０９によって利用者の現在地点特有の実際の環境音を、利用者が聴取可能な状況でないと判断された場合、各地点において利用者が各地点にいることを実感できる各地点特有の環境音を示す音声情報をジャンル毎に記録する音声情報データベース１２０から、音声選択部１１０によって利用者の現在地点の位置情報に関連付けられた音声情報を選択する。そして、送信部１１３によって、受信した音声情報を出力する出力装置１３０に音声情報を送信する。【選択図】図１
2010197882.tif 000002
【特許請求の範囲】
【請求項１】
各地点において利用者が当該各地点にいることを実感できる各地点特有の環境音を示す音声情報をジャンル毎に記録する音声情報データベースから、出力装置に当該利用者に対して聴取可能に出力させる音声情報を選択して、当該出力装置に送信する音声情報選択装置であって、
前記利用者の現在地点の位置情報を取得する位置取得手段と、
前記利用者の現在地点特有の実際の環境音を、当該利用者が聴取可能な状況にあるか否かを判断する判断手段と、
前記判断手段によって前記利用者が聴取可能な状況にないと判断された場合、前記音声情報データベースから、当該利用者の現在地点の位置情報に関連付けられた音声情報を選択する音声選択手段と、
前記音声選択手段によって選択された音声情報を前記出力装置に送信する送信手段と、
を備えることを特徴とする音声情報選択装置。
【請求項２】
前記音声情報データベースは、各地点において利用者が外部から遮音されていない状況の際に聴取可能な音声情報をジャンル毎に記録し、
前記判断手段は、前記利用者が外部から遮音された状況か否かを判断し、
前記音声選択手段は、前記判断手段によって前記利用者が外部から遮音された状況であると判断された場合、前記音声情報データベースから、当該利用者の現在地点の位置情報に関連付けられた音声情報を選択することを特徴とする請求項１に記載の音声情報選択装置。
【請求項３】
現在の日時を取得する日時取得手段をさらに備え、
前記音声選択手段は、前記音声情報データベースから、前記利用者の現在地点の位置情報および前記現在の日時に関連付けられた音声情報を選択することを特徴とする請求項２に記載の音声情報選択装置。
【請求項４】
現在の天気に関する情報を取得する天気取得手段をさらに備え、
前記音声選択手段は、前記音声情報データベースから、前記利用者の現在地点の位置情報および現在の天気に関連付けられた音声情報を選択することを特徴とする請求項２または３に記載の音声情報選択装置。
【請求項５】
前記音声選択手段によって選択された音声情報から当該音声情報の時刻による変化に関する情報を抽出する抽出手段と、
前記抽出手段によって抽出された前記音声情報の時刻による変化に関する情報に基づいて、前記出力装置に出力させる音声情報の出力のタイミングに関する情報を生成する生成手段と、をさらに備え、
前記送信手段は、前記音声選択手段によって選択された音声情報に加え、前記生成手段によって生成された音声情報の出力のタイミングに関する情報を前記出力装置に送信することを特徴とする請求項２に記載の音声情報選択装置。
【請求項６】
前記位置取得手段によって取得された前記利用者の現在地点の位置情報が室内または車両内を示している場合に、当該室内または当該車両の窓の開閉状態を検知する窓開閉検知手段をさらに備え、
前記判断手段は、前記窓開閉検知手段によって前記窓が閉まっていることを検知した場合に、前記利用者が外部から遮音された状況であると判断することを特徴とする請求項２〜５のいずれか一つに記載の音声情報選択装置。
【請求項７】
前記位置取得手段によって取得された前記利用者の現在地点の位置情報が室内または車両内を示している場合に、前記室内または前記車両内における空調機の動作を検知する空調機動作検知手段をさらに備え、
前記判断手段は、前記空調機動作検知手段によって前記空調機が動作していることを検知した場合に、前記利用者が外部から遮音された状況であると判断することを特徴とする請求項２〜６のいずれか一つに記載の音声情報選択装置。
【請求項８】
前記利用者がヘッドフォンを用いて楽曲情報を再生しているか否かを検知する楽曲再生検知手段をさらに備え、
前記判断手段は、前記楽曲再生検知手段によって前記利用者がヘッドフォンを用いて楽曲情報を再生していることが検知された場合に、前記利用者が外部から遮音されていると判断することを特徴とする請求項２〜７のいずれか一つに記載の音声情報選択装置。
【請求項９】
前記音声選択手段は、前記音声情報データベースから、前記利用者の現在地点が含まれる地域に関連付けられた音声情報を、当該利用者の現在地点において当該利用者が外部から遮音されていない状況で聴取不可能な音声情報であっても選択することを特徴とする請求項１〜８のいずれか一つに記載の音声情報選択装置。
【請求項１０】
前記利用者の現在地点の位置情報が室内を示している場合に、施設内の当該室内の階数に関する情報を取得する階数取得手段をさらに備え、
前記判断手段は、前記階数取得手段によって取得された前記室内の階数が前記施設の所定階数以外の場合に、前記判断手段によって前記利用者が聴取可能な状況にないと判断し、
前記音声選択手段は、前記音声情報データベースから、当該施設の１階を示す位置情報に関連付けられた音声情報を選択することを特徴とする請求項１〜７のいずれか一つに記載の音声情報選択装置。
【請求項１１】
前記利用者の固有情報を取得する利用者情報取得手段をさらに備え、
前記音声選択手段は、前記音声情報データベースから、前記利用者の固有情報に応じた音声情報を選択することを特徴とする請求項１〜１０のいずれか一つに記載の音声情報選択装置。
【請求項１２】
音声情報データベースに記録された音声情報のジャンルは、鳥や虫の鳴き声に関する音声情報、車両の往来音に関する音声情報、人の往来音に関する音声情報、子供の登下校に関する音声情報または雨や風に関する音声情報であることを特徴とする請求項１〜１１のいずれか一つに記載の音声情報選択装置。
【請求項１３】
各地点において利用者が当該各地点にいることを実感できる各地点特有の環境音を示す音声情報をジャンル毎に記録する音声情報データベースから、出力装置に当該利用者に対して聴取可能に出力させる音声情報を選択して、当該出力装置に送信する音声情報選択装置における音声情報選択方法であって、
前記利用者の現在地点の位置情報を取得する位置取得工程と、
前記利用者の現在地点特有の実際の環境音を、当該利用者が聴取可能な状況にあるか否かを判断する判断工程と、
前記判断工程によって前記利用者が聴取可能な状況にないと判断された場合、前記音声情報データベースから、当該利用者の現在地点の位置情報に関連付けられた音声情報を選択する音声選択工程と、
前記音声選択工程によって選択された音声情報を前記出力装置に送信する送信工程と、
を含むことを特徴とする音声情報選択方法。
【請求項１４】
請求項１３に記載の音声情報選択方法をコンピュータに実行させることを特徴とする音声情報選択プログラム。
【請求項１５】
請求項１４に記載の音声情報選択プログラムを記録したことを特徴とするコンピュータに読み取り可能な記録媒体。
【発明の詳細な説明】
【技術分野】
【０００１】
この発明は、利用者が現在地点にいることを実感することのできる環境音をデータベースから選択する音声情報選択装置、音声情報選択方法、音声情報選択プログラムおよび記録媒体に関する。ただし、この発明の利用は、上述した音声情報選択装置、音声情報選択方法、音声情報選択プログラムおよび記録媒体には限られない。
【背景技術】
【０００２】
従来、遮音された室内や車両内の外部の音声情報をマイクによって集音し、集音された音声情報の中にあらかじめ登録された語句や音声パターンが検出された場合、その音声情報を抽出して、室内または車両内にて出力する音声再生装置が提案されている（たとえば、下記特許文献１、下記特許文献２参照。）。
【０００３】
また、人間の可聴周波数帯域および可聴周波数帯域外の音声情報を検知して、可聴周波数帯域以外の音声情報も含めて利用者の周囲の環境を制御することにより快適な環境を創造する環境制御機器が提案されている（たとえば、下記特許文献３参照。）。
【先行技術文献】
【特許文献】
【０００４】
【特許文献１】特開２００６−０９３７９２号公報
【特許文献２】特開２００４−３２８２１４号公報
【特許文献３】特開２００２−３２３８９８号公報
【発明の概要】
【発明が解決しようとする課題】
【０００５】
しかしながら、上述した特許文献１〜３の技術では、遮音された室内や車両内の外部において実際に集音された音声情報に含まれる、あらかじめ登録された語句や音声パターンに合致する音声情報のみを室内または車両内にて出力するため、たとえば、当該語句や音声パターンを容易に定めることができない、現在位置にいることを実感できるような鳥や虫等の生態系の音声（たとえば、鳴き声）等の音声情報を室内または車両内にて出力することが困難である。このため、利用者は、自身が現在地点にいることをあまり実感できないという問題がある。
【０００６】
また、上述した特許文献１〜３の技術では、たとえば利用者が所望する音声情報が利用者の現在地点が含まれる地域に関連付けられた音声情報であっても、利用者の現在地点において利用者が外部から遮音されていない状況でも聴取不可能な音声情報であれば出力することができない。したがって、利用者が現在地点の含まれる地域で生活していることを実感できないという問題がある。
【０００７】
さらに、上述した特許文献１〜３の技術では、たとえば利用者の現在地点が、施設内の地階や、たとえば窓を開けていても外部のそれぞれの音声情報が混合してしまい各音声情報が判別できない階数以上の場合、外部から音声情報を集音しても各音声情報が判別できないため、室内に出力することができないという問題がある。
【課題を解決するための手段】
【０００８】
上述した課題を解決し、目的を達成するため、請求項１の発明にかかる音声情報選択装置は、各地点において利用者が当該各地点にいることを実感できる各地点特有の環境音を示す音声情報をジャンル毎に記録する音声情報データベースから、出力装置に当該利用者に対して聴取可能に出力させる音声情報を選択して、当該出力装置に送信する音声情報選択装置であって、前記利用者の現在地点の位置情報を取得する位置取得手段と、前記利用者の現在地点特有の実際の環境音を、当該利用者が聴取可能な状況にあるか否かを判断する判断手段と、前記判断手段によって前記利用者が聴取可能な状況にないと判断された場合、前記音声情報データベースから、当該利用者の現在地点の位置情報に関連付けられた音声情報を選択する音声選択手段と、前記音声選択手段によって選択された音声情報を前記出力装置に送信する送信手段と、を備えることを特徴とする。
【０００９】
また、請求項１３の発明にかかる音声情報選択方法は、各地点において利用者が当該各地点にいることを実感できる各地点特有の環境音を示す音声情報をジャンル毎に記録する音声情報データベースから、出力装置に当該利用者に対して聴取可能に出力させる音声情報を選択して、当該出力装置に送信する音声情報選択装置における音声情報選択方法であって、前記利用者の現在地点の位置情報を取得する位置取得工程と、前記利用者の現在地点特有の実際の環境音を、当該利用者が聴取可能な状況にあるか否かを判断する判断工程と、前記判断工程によって前記利用者が聴取可能な状況にないと判断された場合、前記音声情報データベースから、当該利用者の現在地点の位置情報に関連付けられた音声情報を選択する音声選択工程と、前記音声選択工程によって選択された音声情報を前記出力装置に送信する送信工程と、を含むことを特徴とする。
【００１０】
また、請求項１４の発明にかかる音声情報選択プログラムは、請求項１３に記載の音声情報選択方法をコンピュータに実行させることを特徴とする。
【００１１】
また、請求項１５の発明にかかる記録媒体は、請求項１４に記載の音声情報選択プログラムをコンピュータに読み取り可能な状態で記録したことを特徴とする。
【図面の簡単な説明】
【００１２】
【図１】本実施の形態にかかる音声情報選択装置の機能的構成を示すブロック図である。
【図２】音声情報選択装置の音声情報選択処理手順を示すフローチャートである。
【図３】本実施例にかかる音声情報再生システムの概要を示す説明図である。
【図４】本実施例にかかるサーバのハードウェア構成を示すブロック図である。
【図５】本実施例にかかる端末のハードウェア構成を示すブロック図である。
【図６】サーバの処理の内容を示すフローチャートである。
【図７】サーバの音声情報選択処理の内容を示すフローチャートである。
【図８】端末の音声出力処理の内容について示すフローチャートである。
【図９】環境音ＤＢの一例について示す説明図である。
【図１０】利用者の現在地点が含まれる地域の一例について示す説明図である。
【図１１】音声情報が関連付けられた地域の範囲の一例について示す説明図である。
【発明を実施するための形態】
【００１３】
以下に添付図面を参照して、この発明にかかる音声情報選択装置、音声情報選択方法、音声情報選択プログラムおよび記録媒体の好適な実施の形態を詳細に説明する。
【００１４】
（実施の形態）
（音声情報選択装置の機能的構成）
まず、この発明の実施の形態にかかる音声情報選択装置１００の機能的構成について説明する。図１は、本実施の形態にかかる音声情報選択装置の機能的構成を示すブロック図である。
【００１５】
図１において、音声情報選択装置１００は、位置取得部１０１と、日時取得部１０２と、天気取得部１０３と、利用者情報取得部１０４と、窓開閉検知部１０５と、空調機動作検知部１０６と、階数取得部１０７と、楽曲再生検知部１０８と、判断部１０９と、音声選択部１１０と、抽出部１１１と、生成部１１２と、送信部１１３と、を備えている。ここで、音声情報選択装置１００は、各地点において利用者が各地点にいることを実感できる各地点特有の環境音を示す音声情報をジャンル毎に記録する音声情報データベース１２０から、出力装置１３０に利用者に対して聴取可能に出力させる音声情報を選択して、出力装置１３０に送信する。音声情報データベース１２０は、具体的には、たとえば各地点において利用者が外部から遮音されていない状況の際に聴取可能な音声情報をジャンル毎に記録している。また、音声情報データベース１２０は、利用者が実際には施設の高層階にいて、遮音されていない状況の際に聴取不可能な音声情報であっても、利用者の現在地点が示す施設の１階において聴取可能であれば記録していてもよい。また、音声情報データベース１２０は、利用者の現在地点においては、聴取不可能な音声情報であっても、利用者の現在地点を含む地域において聴取可能な音声情報であれば記録していてもよい。
【００１６】
また、音声情報データベース１２０に記録された音声情報のジャンルは、鳥や虫の鳴き声に関する音声情報、車両の往来音に関する音声情報、人の往来音に関する音声情報、子供の登下校に関する音声情報または雨や風に関する音声情報などである。具体的には、鳥や虫の鳴き声に関する音声情報は、たとえば鳥や虫などの各種類に対しての生態系、およびそれぞれの鳥や虫の季節や時刻に応じた鳴き声に関する情報である。車両の往来音に関する音声情報は、たとえば幹線道路などの比較的交通量の多い道路の位置情報、およびそれぞれの道路の曜日や時刻に応じた交通量に関する情報である。人の往来音に関する音声情報は、たとえば商店街の位置情報、および曜日や時刻に応じた人の多さに関する情報である。子供の登下校に関する音声情報は、たとえば通学路に関する位置情報、および登下校の時刻に関する情報である。
【００１７】
位置取得部１０１は、利用者の現在地点の位置情報を取得する。位置取得部１０１は、たとえば出力装置１３０の備えるＧＰＳ（Ｇｌｏｂａｌ  Ｐｏｓｉｔｉｏｎｉｎｇ  Ｓｙｓｔｅｍ）ユニットなどによって受信されたＧＰＳ衛星からの測位情報を出力装置１３０から受信することによって、地図データ上の利用者の現在地点を特定する。
【００１８】
日時取得部１０２は、現在の日時を取得する。日時取得部１０２は、たとえば音声情報選択装置１００の備えるカレンダー機能や、ＧＰＳ衛星などから送信された電波に含まれる時刻データを出力装置１３０から受信することで現在の日付を取得する。
【００１９】
天気取得部１０３は、現在の天気に関する情報を取得する。天気取得部１０３は、たとえば天候データベースなどから現在の天気に関する情報を取得する。現在の天気に関する情報は、たとえば晴れ、雨、雪などの空模様に関する情報であり、気温、風速、湿度などの気象要素に関する情報が含まれていてもよい。
【００２０】
利用者情報取得部１０４は、利用者の固有情報を取得する。利用者の固有情報は、たとえば利用者の趣味や嗜好に関する情報、または利用者の家族構成に関する情報、利用者の心理状態に関する情報である。また、利用者情報取得部１０４は、利用者からの入力によって固有情報を取得してもよい。具体的には、たとえば車両の往来音は出力させないなどの入力を受け付ける。
【００２１】
窓開閉検知部１０５は、位置取得部１０１によって取得された利用者の現在地点の位置情報が室内または車両内を示している場合に、室内または車両の窓の開閉状態を検知する。窓開閉検知部１０５は、たとえば窓の桟に備えられた検知器や、カメラによって撮影された映像に基づいて、窓の開閉状態を検知してもよい。
【００２２】
空調機動作検知部１０６は、位置取得部１０１によって取得された利用者の現在地点の位置情報が室内または車両内を示している場合に、室内または車両内における空調機の動作を検知する。
【００２３】
階数取得部１０７は、利用者の現在地点の位置情報が室内を示している場合に、施設内の室内の階数に関する情報を取得する。階数取得部１０７は、利用者によってあらかじめ設定された階数に関する情報を取得してもよい。
【００２４】
楽曲再生検知部１０８は、利用者がヘッドフォンを用いて楽曲情報を再生しているか否かを検知する。楽曲再生検知部１０８は、たとえばヘッドフォンが利用者の両耳に装着されているか否かを検知する。
【００２５】
判断部１０９は、利用者の現在地点特有の実際の環境音を、利用者が聴取可能な状況にあるか否かを判断する。また、判断部１０９は、利用者が外部から遮音された状況か否かを判断する。具体的には、たとえば、判断部１０９は、窓開閉検知部１０５によって窓が閉まっていることを検知した場合に、利用者が外部から遮音された状況であると判断する。また、判断部１０９は、空調機動作検知部１０６によって空調機が動作していることを検知した場合に、利用者が外部から遮音された状況であると判断する。さらに、判断部１０９は、楽曲再生検知部１０８によって利用者がヘッドフォンを用いて楽曲情報を再生していることが検知された場合に、利用者が外部から遮音されていると判断する。さらに具体的には、楽曲再生検知部１０８によって、ヘッドフォンが利用者の両耳に装着されていると検知された場合、利用者がヘッドフォンを用いて楽曲情報を再生していると判断する。
【００２６】
また、判断部１０９は、階数取得部１０７によって取得された室内の階数が施設の所定階数以外の場合に、利用者の現在地点特有の実際の環境音を、利用者が聴取可能な状況でないと判断してもよい。判断部１０９は、具体的には、地階や、たとえば窓を開けていても外部のそれぞれの音声情報が混合してしまい各音声情報が判別できない階数以上の場合に、利用者の現在地点特有の実際の環境音を、利用者が聴取可能な状況でないと判断してもよい。
【００２７】
音声選択部１１０は、判断部１０９によって利用者が聴取可能な状況にないと判断された場合、音声情報データベース１２０から、利用者の現在地点の位置情報に関連付けられた音声情報を選択する。また、音声情報選択部１１０は、判断部１０９によって利用者が外部から遮音された状況であると判断された場合、音声情報データベース１２０から、利用者の現在地点の位置情報に関連付けられた音声情報を選択する。音声選択部１１０は、音声情報データベース１２０から、利用者の現在地点の位置情報および現在の日時に関連付けられた音声情報を選択してもよいし、利用者の現在地点の位置情報および現在の天気に関連付けられた音声情報を選択してもよい。
【００２８】
また、音声選択部１１０は、音声情報データベース１２０から、利用者の現在地点が含まれる地域に関連付けられた音声情報を選択する。この場合、音声選択部１１０は、利用者の現在地点が含まれる地域に関連付けられた音声情報を、利用者の現在地点において利用者が外部から遮音されていない状況で聴取不可能な音声情報であっても選択してよい。また、音声選択部１１０は、音声情報データベース１２０から、利用者の固有情報に応じた音声情報を選択してもよい。すなわち、音声選択部１１０は、利用者が催事を好む場合、利用者の現在地点においては聴取不可能な音声情報であっても、地域内で開催される催事に関する音声情報を選択してもよい。また、たとえば利用者に子供がいる場合、利用者の現在地点が、子供が在籍する学校の通学路の近傍ではなくても、子供の登下校に関する音声情報を選択してもよい。
【００２９】
また、音声選択部１１０は、階数取得部１０７によって取得された室内の階数が施設の所定階数以外の場合、音声情報データベース１２０から、施設の１階を示す位置情報に関連付けられた音声情報を選択する。すなわち、たとえば利用者の現在地点が施設内の１２階の室内であっても、同一の施設の１階に関連付けられた音声情報を選択してもよい。
【００３０】
抽出部１１１は、音声選択部１１０によって選択された音声情報からこの音声情報の時刻による変化に関する情報を抽出する。抽出部１１１は、具体的には、たとえば音声選択部１１０によって選択された音声情報が、利用者が外部から遮音されていない状況の際に、時刻によって聴取可能であったり、聴取不可能であったりする場合、この音声情報の時刻による変化に関する情報を抽出する。
【００３１】
生成部１１２は、抽出部１１１によって抽出された音声情報の時刻による変化に関する情報に基づいて、出力装置１３０に出力させる音声情報の出力のタイミングに関する情報を生成する。出力のタイミングに関する情報は、たとえば何時から何時までの間、その音声情報を出力させるかという情報である。
【００３２】
送信部１１３は、音声選択部１１０によって選択された音声情報を出力装置１３０に送信する。また、送信部１１３は、音声選択部１１０によって選択された音声情報に加え、生成部１１２によって生成された音声情報の出力のタイミングに関する情報を送信してもよい。これによって、出力装置１３０においては、送信部１１３によって現在の日時に関わらず音声情報が送信されても、利用者が外部から遮音されていない状況で聴取するタイミングで音声情報を出力することができる。
【００３３】
（音声情報選択装置の音声情報選択処理手順）
つぎに、音声情報選択装置１００の音声情報選択処理手順について説明する。図２は、音声情報選択装置の音声情報選択処理手順を示すフローチャートである。図２のフローチャートにおいて、まず、位置取得部１０１によって利用者の現在地点の位置情報を取得する（ステップＳ２０１）。
【００３４】
つぎに、判断部１０９によって利用者が外部から遮音された状況か否かを判断して（ステップＳ２０２）、利用者が外部から遮音された状況ではないと判断された場合（ステップＳ２０２：Ｎｏ）、ステップＳ２０１に戻り、以降の処理を繰り返しおこなう。
【００３５】
そして、ステップＳ２０２において利用者が外部から遮音された状況であると判断された場合（ステップＳ２０２：Ｙｅｓ）、日時取得部１０２によって現在の日時を取得する（ステップＳ２０３）。また、天気取得部１０３によって現在の天気に関する情報を取得する（ステップＳ２０４）。さらに、利用者情報取得部１０４によって利用者の固有情報を取得する（ステップＳ２０５）。なお、ステップＳ２０３からステップＳ２０５の処理は、省略してもよい。
【００３６】
そして、音声選択部１１０によって、音声情報データベース１２０から、ステップＳ２０１において取得された利用者の現在地点の位置情報に関連付けられた音声情報を選択する（ステップＳ２０６）。なお、ステップＳ２０６においては、ステップＳ２０３からステップＳ２０５においていずれかの情報を取得した場合、取得された情報および利用者の現在地点の位置情報に関連付けられた音声情報を選択してもよい。つぎに、送信部１１３によって、ステップＳ２０６において選択された音声情報を出力装置１３０に送信して（ステップＳ２０７）、一連の処理を終了する。
【００３７】
なお、図２のフローチャートにおいては、ステップＳ２０１において取得された利用者の現在地点の位置情報が室内または車両内を示している場合、窓開閉検知部１０５によって室内または車両の窓の開閉状態を検知してもよい。そして、ステップＳ２０２においては、窓開閉検知部１０５によって窓が閉まっていることを検知した場合、利用者が外部から遮音された状況であると判断する。
【００３８】
また、図２のフローチャートにおいては、ステップＳ２０１において取得された利用者の現在地点の位置情報が室内または車両内を示している場合、空調機動作検知部１０６によって、室内または車両内における空調機の動作を検知してもよい。そして、ステップＳ２０２においては、空調機動作検知部１０６によって空調機が動作していることを検知した場合に、利用者が外部から遮音された状況であると判断する。
【００３９】
また、図２のフローチャートにおいては、ステップＳ２０１において利用者が外部から遮音された状況か否かを判断しているが、これに限るものではない。具体的には、たとえば利用者が外部から遮音された状況か否かに関わらず、利用者の現在地点特有の実際の環境音を、利用者が聴取可能な状況にあるか否かを判断してもよい。そして、利用者が聴取可能な状況にないと判断された場合、ステップＳ２０３に進む構成としてもよい。
【００４０】
また、図２のフローチャートにおいては、ステップＳ２０１において取得された利用者の現在地点の位置情報が室内を示している場合に、階数取得部１０７によって施設内の室内の階数に関する情報を取得してもよい。そして、ステップＳ２０２においては、階数取得部１０７によって取得された室内の階数が施設の所定階数以外の場合に、利用者が聴取可能な状況にないと判断する。さらに、ステップＳ２０６においては、音声情報データベース１２０から、施設の１階を示す位置情報に関連付けられた音声情報を選択する。
【００４１】
また、図２のフローチャートにおいては、楽曲再生検知部１０８によって利用者がヘッドフォンを用いて楽曲情報を再生しているか否かを検知してもよい。そして、ステップＳ２０２においては、楽曲再生検知部１０８によって利用者がヘッドフォンを用いて楽曲情報を再生していることが検知された場合に、利用者が外部から遮音されていると判断する。
【００４２】
また、図２のフローチャートにおいては、ステップＳ２０６において音声情報データベースから、利用者の現在地点が含まれる地域に関連付けられた音声情報を、利用者の現在地点において利用者が外部から遮音されていない状況で聴取不可能な音声情報であっても選択してよい。
【００４３】
また、図２のフローチャートにおいては、ステップＳ２０６において音声情報を選択した後に、抽出部１１１によって選択された音声情報からこの音声情報の時刻による変化に関する情報を抽出してもよい。この場合、生成部１１２によって、音声情報の時刻による変化に関する情報に基づいて、出力装置１３０に出力させる音声情報の出力のタイミングに関する情報を生成する。そして、ステップＳ２０７においては、ステップＳ２０６において選択された音声情報に加え、生成部１１２によって生成された音声情報の出力のタイミングに関する情報を送信する。
【００４４】
上述したように、本実施の形態の音声情報選択装置１００によれば、判断部１０９によって利用者が聴取可能な状況にないと判断された場合、音声情報データベース１２０から、位置取得部１０１によって取得された利用者の現在地点の位置情報に関連付けられた音声情報を音声選択部１１０によって選択し、送信部１１３によって出力装置１３０に送信することができる。したがって、利用者が各地点にいることを実感できる各地点特有の環境音を、遮音された状況または遮音されていなくても聴取不可能な状況であれば、これらの音声情報を音声情報データベース１２０から選択し、送信することができる。これによって、利用者は、現在地点にいることを実感できる音声情報を聴取することができる。したがって、利用者は、その土地に生活していることを実感することができ、精神的な安定を維持することができる。
【００４５】
また、本実施の形態の音声情報選択装置１００によれば、判断部１０９によって利用者が外部から遮音された状況であると判断された場合、音声情報データベース１２０から、位置取得部１０１によって取得された利用者の現在地点の位置情報に関連付けられた音声情報を音声選択部１１０によって選択し、送信部１１３によって出力装置１３０に送信することができる。したがって、実際に外部から集音した音声情報ではなく、音声情報データベース１２０に記録された音声情報の中から、利用者が現在地点において遮音されていない状況であれば聴取することのできる音声情報を選択することができる。このため、利用者が現在地点において外部から遮音されていない状況であれば聴取可能であるはずの音声情報を、実際に外部で生じていなくても、出力装置１３０から出力させることができる。これによって、利用者は、外部から遮音された状況の場合に、現在地点で聴取可能であろう音声情報を聴取することができる。したがって、利用者は、その土地に生活していることを実感することができ、精神的な安定を維持することができる。
【００４６】
また、本実施の形態の音声情報選択装置１００によれば、音声選択部１１０によって、音声情報データベース１２０から、利用者の現在地点の位置情報、および日時取得部１０２によって取得された現在の日時に関連付けられた音声情報を選択することができる。したがって、利用者が現在地点において外部から遮音されていない状況であれば聴取可能であるはずの音声情報の中から、現在の日時に聴取可能であるはずの音声情報のみを出力させることができる。これによって、利用者は、その土地に生活していることをより実感することができる。
【００４７】
また、本実施の形態の音声情報選択装置１００によれば、音声選択部１１０によって、音声情報データベース１２０から、利用者の現在地点の位置情報、および天気取得部１０３によって取得された現在の天気に関連付けられた音声情報を選択することができる。したがって、利用者が現在地点において外部から遮音されていない状況であれば聴取可能であるはずの音声情報の中から、現在の天気に聴取可能であるはずの音声情報のみを出力させることができる。これによって、利用者は、その土地に生活していることをより実感することができる。
【００４８】
また、本実施の形態の音声情報選択装置１００によれば、抽出部１１１によって抽出された音声情報の時刻による変化に関する情報に基づいて、生成部１１２によって出力装置１３０に出力させる音声情報の出力のタイミングに関する情報を生成することができる。したがって、出力装置１３０に、現在の日時に応じた音声情報を出力させることができる。これによって、利用者は、その土地に生活していることをより実感することができる。
【００４９】
また、本実施の形態の音声情報選択装置１００によれば、位置取得部１０１によって取得された利用者の現在地点の位置情報が室内または車両内を示している場合に、窓開閉検知部１０５によって室内または車両の窓の開閉状態を検知することができる。そして、窓開閉検知部１０５によって窓が閉まっていることを検知した場合に、判断部１０９によって利用者が外部から遮音された状況であると判断することができる。したがって、利用者のいる室内の窓が閉まっている場合、利用者が遮音された状況であると判断することができる。これによって、利用者は、室内にいる際に窓が閉まっていても、現在地点において外部から遮音されていない状況であれば聴取可能であるはずの音声情報を聴取することができる。
【００５０】
また、本実施の形態の音声情報選択装置１００によれば、位置取得部１０１によって取得された利用者の現在地点の位置情報が室内または車両内を示している場合に、空調機動作検知部１０６によって室内または車両内における空調機の動作を検知することができる。そして、空調機動作検知部１０６によって空調機が動作していることを検知した場合に、判断部１０９によって利用者が外部から遮音された状況であると判断することができる。したがって、空調機が動作しているときは、大抵窓が閉まっているため、利用者が遮音された状況であると判断することができる。これによって、利用者は、室内において空調機を使用している場合でも、現在地点において外部から遮音されていない状況であれば聴取可能であるはずの音声情報を聴取することができる。
【００５１】
また、本実施の形態の音声情報選択装置１００によれば、楽曲再生検知部１０８によって利用者がヘッドフォンを用いて楽曲情報を再生していることが検知された場合に、判断部１０９によって利用者が外部から遮音されていると判断することができる。これによって、利用者は、両耳にヘッドフォンを装着していて、外部の音声情報が聴取できない場合でも、現在地点において外部から遮音されていない状況であれば聴取可能であるはずの音声情報を聴取することができる。
【００５２】
また、本実施の形態の音声情報選択装置１００によれば、音声選択部１１０によって、音声情報データベース１２０から、利用者の現在地点が含まれる地域に関連付けられた音声情報を、利用者の現在地点において利用者が外部から遮音されていない状況で聴取不可能な音声情報であっても選択することができる。これによって、利用者は、現在地点において外部から遮音されていない状況で聴取不可能な音声情報であっても、地域内の祭事や地域内の学校における運動会など、地域に関わる音声情報を聴取することができる。このため、利用者は、自身の生活している地域に対する密着感や親密感を感じることができ、精神的な安定を維持することができる。
【００５３】
また、本実施の形態の音声情報選択装置１００によれば、利用者の現在地点の位置情報が室内を示している場合に、階数取得部１０７によって施設内の室内の階数に関する情報を取得し、判断部１０９によって、室内の階数が施設の所定階数以外の場合に、利用者が外部から遮音された状況であると判断することができる。そして、音声選択部１１０によって、音声情報データベース１２０から、施設の１階を示す位置情報に関連付けられた音声情報を選択することができる。これによって、利用者が、地階や、たとえば窓を開けていても外部のそれぞれの音声情報が混合してしまい各音声情報が判別できない階数以上の場合でも、その施設の１階において外部から遮音されていない状況で聴取可能な音声情報を聴取することができる。したがって、利用者は、その土地に生活していることを実感することができ、精神的な安定を維持することができる。
【００５４】
また、本実施の形態の音声情報選択装置１００によれば、音声選択部１１０によって、音声情報データベース１２０から、利用者情報取得部１０４によって取得された利用者の固有情報に応じた音声情報を選択することができる。したがって、たとえば利用者の家族構成や利用者の趣味・嗜好により、同じ地点においても利用者によって出力させる音声情報を変更することができる。これによって、利用者は、所望する情報を積極的に検索しなくても、音声情報として受動的に聴取することができるため、煩わしさを感じずに必要な情報を知ることができる。
【実施例】
【００５５】
以下に、本発明の実施例について説明する。本実施例では、たとえば、音声情報データベースに接続されたサーバによって本発明の音声情報選択装置を実施し、利用者の自宅などに設置された端末によって本発明の出力装置を実施した場合の一例について説明する。
【００５６】
（システムの概要）
まず、図３を用いて、本実施例にかかる音声情報再生システムの概要について説明する。図３は、本実施例にかかる音声情報再生システムの概要について示す説明図である。図３に示すように、音声情報再生システム３００は、サーバ３０１と、端末３２０と、から構成されている。サーバ３０１と、端末３２０とは、インターネット３３０を介して接続されている。なお、サーバ３０１は、各データベース３１３〜３１７と、有線または無線により接続されていてもよいし、インターネット３３０を介して接続されていてもよい。
【００５７】
データベースとしては、環境音ＤＢ（データベース）３１１、天候ＤＢ３１６、イベントＤＢ３１７などが挙げられる。環境音ＤＢ３１１は、各地点において利用者が各地点にいることを実感できる各地点特有の環境音を示す音声情報をジャンル毎に記録している。すなわち、環境音ＤＢ３１１は、各地点において利用者が外部から遮音されていない状況の際に聴取可能な音声情報をジャンル毎に記録しており、各地点において利用者が外部から遮音されていない状況の際に聴取不可能な音声情報を含んでいてもよい。なお、環境音ＤＢ３１１は、サーバ３０１に含まれていてもよい。
【００５８】
環境音ＤＢ３１１のジャンルとしては、たとえば鳥や虫の声ＤＢ３１２、車両の往来音ＤＢ３１３、人の往来音ＤＢ３１４、子供の声ＤＢ３１５などが挙げられる。鳥や虫の声ＤＢ３１２は、詳細は後述するが、鳥や虫などの各種類に対しての生態系、およびそれぞれの鳥や虫の季節や時刻に応じた鳴き声に関する情報である。車両の往来音ＤＢ３１３は、具体的には、幹線道路などの比較的交通量の多い道路の位置情報、およびそれぞれの道路の曜日や時刻に応じた交通量に関する情報である。人の往来音ＤＢ３１４は、たとえば商店街の位置情報、および曜日や時刻に応じた人の多さに関する情報である。子供の声ＤＢ３１５は、たとえば通学路に関する位置情報、および登下校の時刻に関する情報である。
【００５９】
また、天候ＤＢ３１６は、具体的には、たとえば、現在の日時における天気（晴れ、雨、雪など）、気温、湿度、風速などの気象要素に関する情報を記録している。イベントＤＢ３１７は、具体的には、たとえば、祭りや運動会などの各地域における催事に関する情報を記録している。
【００６０】
サーバ３０１は、端末３２０から取得した現在の日付や利用者の固有情報に基づいて、天候ＤＢ３１６やイベントＤＢ３１７から、現在の天気に関する情報や利用者の所望する催事に関する情報を取得する。そして、環境音ＤＢ３１１に記録されている音声情報の中から、端末３２０から取得した利用者の現在地点の位置情報、天候ＤＢ３１６やイベントＤＢ３１７などから取得した情報に関連付けられた音声情報を選択し、端末３２０に送信する。
【００６１】
端末３２０は、たとえば利用者の固有情報や、端末３２０の設置された部屋の施設内の階数に関する情報を受け付ける。利用者の固有情報は、利用者の家族構成、利用者の趣味や嗜好、利用者の心理状態などに関する情報である。また、端末３２０は、たとえば、室内や車両内の窓の開閉状態や、空調機の動作状態などを検知する。そして、インターネットを介してサーバ３０１にこれらの情報を送信する。端末３２０は、サーバ３０１から受信した音声情報を出力する。また、端末３２０は、サーバ３０１から音声情報の出力のタイミングに関する情報を受信した場合は、出力のタイミングに関する情報に基づいて、音声情報を出力する。
【００６２】
（サーバのハードウェア構成）
つぎに、本実施例にかかるサーバ３０１のハードウェア構成について説明する。図４は、本実施例にかかるサーバのハードウェア構成を示すブロック図である。図４において、サーバ３０１は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、通信Ｉ／Ｆ（インターフェース）４０８と、を備えている。各構成部４０１〜４０８は、バス４２０によってそれぞれ接続されている。
【００６３】
まず、ＣＰＵ４０１は、サーバ３０１の全体の制御を司る。ＲＯＭ４０２は、ブートプログラム、データ更新プログラム、遮音状況判断プログラム、天気判断プログラム、イベント検索プログラム、音声情報選択プログラム、音声再生タイミング生成プログラムなどのプログラムを記録している。また、ＲＡＭ４０３は、ＣＰＵ４０１のワークエリアとして使用される。すなわち、ＣＰＵ４０１は、ＲＡＭ４０３をワークエリアとして使用しながら、ＲＯＭ４０２に記録された各種プログラムを実行することによって、サーバ３０１の全体の制御を司る。
【００６４】
遮音状況判断プログラムは、端末３２０から取得された情報に基づいて、利用者が遮音された状況か否かを判断させる。遮音状況判断プログラムは、詳細は後述するが、利用者の現在地点が室内または車両内を示しているときには、窓が閉められていることを検知した情報を取得した場合や空調機が稼働していることを検知した情報を取得した場合、利用者が遮音された状況であると判断させる。また、遮音状況判断プログラムは、利用者がヘッドフォンを用いて楽曲情報を再生していることを検知した情報を取得した場合、利用者が遮音された状況であると判断させる。
【００６５】
天気判断プログラムは、端末３２０から取得された利用者の現在地点の位置情報および現在の日時に基づいて、天候ＤＢ３１６から、利用者の現在地点における現在の天気を判断させる。ここで、天気は、詳細は後述するが、晴れ、雨、雪などの空模様や、気温、湿度、風量などの気象要素に関する情報である。
【００６６】
イベント検索プログラムは、端末３２０から取得された利用者の現在地点の位置情報および利用者の固有情報に基づいて、利用者の現在地点が含まれる地域で開催される予定の催事に関する情報や、利用者が所望する催事に関する情報を検索させる。
【００６７】
音声情報選択プログラムは、環境音ＤＢの各ジャンルのＤＢから、利用者が現在地点にいることを実感できる音声情報を選択させる。音声情報選択プログラムは、具体的には、利用者の現在地点の位置情報や現在の天気、現在の日付に関連付けられた音声情報を選択させる。また、音声情報選択プログラムは、利用者の現在地点が含まれる地域に関連付けられた音声情報を、利用者の現在地点において利用者が外部から遮音されていない状況で聴取不可能な音声情報であっても選択させてよい。さらに、音声情報選択プログラムは、利用者の現在地点が、施設内の所定階数以外の室内の場合、同一の施設内の１階に関連付けられた音声情報を選択させてもよい。
【００６８】
音声再生タイミング生成プログラムは、音声再生タイミングプログラムを生成させる。音声再生タイミングプログラムには、音声情報選択プログラムによって選択させられた各音声情報を端末３２０で出力させるタイミングに関する情報が含まれている。音声再生タイミングプログラムには、各音声情報を出力させる季節や時間帯などが組み込まれている。
【００６９】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。
【００７０】
また、光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータが読み出される着脱自在な記録媒体である。光ディスク４０７は、書き込み可能な記録媒体を利用することもできる。着脱可能な記録媒体として、光ディスク４０７のほか、ＭＯ、メモリカードなどであってもよい。
【００７１】
磁気ディスク４０５および光ディスク４０７に記録される情報の一例としては、環境音ＤＢ３１１が挙げられる。なお、環境音ＤＢ３１１は、磁気ディスク４０５および光ディスク４０７に記録されていなくてもよく、たとえばネットワーク上の記録装置などに記録されていてもよい。この場合、後述する通信Ｉ／Ｆ４０８によりネットワークを介して環境音ＤＢ３１１から音声情報を選択し取得する。
【００７２】
また、磁気ディスク４０５および光ディスク４０７に記録される情報の他の一例としては、利用者の固有情報や端末３２０の設置された部屋の施設内の階数に関する情報が挙げられる。これらの情報は、磁気ディスク４０５および光ディスク４０７にあらかじめ記録されていてもよいし、上述した遮音状況判断プログラムを実行して利用者が遮音された状況であると判断された場合に、端末３２０などから取得してもよい。
【００７３】
通信Ｉ／Ｆ４０８は、無線を介してネットワークに接続され、サーバ３０１とＣＰＵ４０１とのインターフェースとして機能する。通信Ｉ／Ｆ４０８は、さらに、無線を介してインターネット３３０などの通信網に接続され、この通信網とＣＰＵ３０１とのインターフェースとしても機能する。
【００７４】
また、通信Ｉ／Ｆ４０８は、インターネット３３０を介して端末３２０に接続され、サーバ３０１と端末３２０との情報の授受をおこなわせる。また、通信Ｉ／Ｆ４０８は、有線または無線、ネットワークを介して天候ＤＢ３１６やイベントＤＢ３１７と接続され、天候ＤＢ３１６やイベントＤＢ３１７から情報を受信させる。
【００７５】
（端末のハードウェア構成）
つぎに、本実施例にかかる端末３２０のハードウェア構成について説明する。図５は、本実施例にかかる端末のハードウェア構成を示すブロック図である。図５において、端末３２０は、ＣＰＵ５０１と、ＲＯＭ５０２と、ＲＡＭ５０３と、磁気ディスクドライブ５０４と、磁気ディスク５０５と、光ディスクドライブ５０６と、光ディスク５０７と、音声Ｉ／Ｆ５０８と、スピーカ５０９と、入力デバイス５１０と、カメラ５１１と、映像Ｉ／Ｆ５１２と、通信Ｉ／Ｆ５１３と、ＧＰＳユニット５１４と、各種センサ５１５と、を備えている。各構成部５０１〜５１５は、バス５２０によってそれぞれ接続されている。
【００７６】
まず、ＣＰＵ５０１は、端末３２０の全体の制御を司る。ＲＯＭ５０２は、ブートプログラム、データ更新プログラム、音声再生タイミングプログラムなどのプログラムを記録している。また、ＲＡＭ５０３は、ＣＰＵ５０１のワークエリアとして使用される。すなわち、ＣＰＵ５０１は、ＲＡＭ５０３をワークエリアとして使用しながら、ＲＯＭ５０２に記録された各種プログラムを実行することによって、端末３２０の全体の制御を司る。
【００７７】
音声再生タイミングプログラムは、サーバ３０１から受信し、端末３２０において実行させることで、利用者が現在地点にいることを実感できるタイミングで音声情報を出力させることができる。
【００７８】
磁気ディスクドライブ５０４は、ＣＰＵ５０１の制御にしたがって磁気ディスク５０５に対するデータの読み取り／書き込みを制御する。磁気ディスク５０５は、磁気ディスクドライブ５０４の制御で書き込まれたデータを記録する。磁気ディスク５０５としては、たとえば、ＨＤ（ハードディスク）やＦＤ（フレキシブルディスク）を用いることができる。
【００７９】
また、光ディスクドライブ５０６は、ＣＰＵ５０１の制御にしたがって光ディスク５０７に対するデータの読み取り／書き込みを制御する。光ディスク５０７は、光ディスクドライブ５０６の制御にしたがってデータが読み出される着脱自在な記録媒体である。光ディスク５０７は、書き込み可能な記録媒体を利用することもできる。着脱可能な記録媒体として、光ディスク５０７のほか、ＭＯ、メモリカードなどであってもよい。
【００８０】
磁気ディスク５０５および光ディスク５０７に記録される情報の一例としては、サーバ３０１において選択され送信された、利用者が現在地点にいることを実感することのできる環境音が挙げられる。
【００８１】
音声Ｉ／Ｆ５０８は、音声出力用のスピーカ５０９に接続される。スピーカ５０９からは、所定の音声信号を音声Ｉ／Ｆ５０８内でＤ／Ａ変換した音声が出力される。すなわち、スピーカ５０９からは、サーバ３０１から受信した音声情報が出力される。なお、スピーカ５０９は、利用者の耳に装着するヘッドフォンでもよい。
【００８２】
入力デバイス５１０は、文字、数値、各種指示などの入力のための複数のキーを備えたリモコン、キーボード、タッチパネルなどが挙げられる。入力デバイス５１０は、リモコン、キーボード、タッチパネルのうちいずれか１つの形態によって実現されてもよいが、複数の形態によって実現することも可能である。入力デバイス５１０の操作により利用者の固有情報や端末３２０の設置されている室内の階数に関する情報が受け付けられる。
【００８３】
カメラ５１１は、室内または車両内の映像を撮影する。映像は静止画あるいは動画のどちらでもよく、たとえば、カメラ５１１によって室内または車両内の利用者の挙動を撮影し、撮影した映像を映像Ｉ／Ｆ５１２を介して磁気ディスク５０５や光ディスク５０７などの記録媒体に出力する。窓を撮影し、画像解析によって窓の開閉状態を検知してもよい。また、記録媒体に出力された映像は、上書き記録や保存がおこなわれる。
【００８４】
通信Ｉ／Ｆ５１３は、無線を介してネットワークに接続され、端末３２０とＣＰＵ５０１とのインターフェースとして機能する。通信Ｉ／Ｆ５１３は、さらに、無線を介してインターネット３３０などの通信網に接続され、この通信網とＣＰＵ５０１とのインターフェースとしても機能する。また、通信Ｉ／Ｆ５１３は、インターネット３３０を介してサーバ３０１に接続され、サーバ３０１と端末３２０との情報の授受をおこなわせる。
【００８５】
ＧＰＳユニット５１４は、ＧＰＳ衛星からの電波を受信し、車両の現在地点を示す位置情報を出力する。ＧＰＳユニット５１４の出力情報は、後述する各種センサ５１５の出力値とともに、ＣＰＵ５０１による車両の現在地点の算出に際して利用される。現在地点を示す位置情報は、たとえば緯度・経度、高度などの、地図データ上の１点を特定する情報である。
【００８６】
各種センサ５１５は、室内または車両内の窓の開閉状態を検知する窓開閉状態検知センサ、室内または車両内の空調機の動作を検知する空調機動作検知センサ、スピーカ５０９がヘッドフォンの場合に、楽曲情報が再生されているか否かを検知する楽曲再生状態検知センサなどの、利用者が遮音された状況か否かを判断するための情報を出力する。
【００８７】
図１に示した音声情報選択装置１００が備える位置取得部１０１、日時取得部１０２、天気取得部１０３、利用者情報取得部１０４、窓開閉検知部１０５、空調機動作検知部１０６、階数取得部１０７、楽曲再生検知部１０８、判断部１０９、音声選択部１１０、抽出部１１１、生成部１１２、送信部１１３は、図４に示したサーバ３０１におけるＲＯＭ４０２、ＲＡＭ４０３、磁気ディスク４０５、光ディスク４０７などに記録されたプログラムやデータを用いて、ＣＰＵ４０１が所定のプログラムを実行し、サーバ３０１における各部を制御することによってその機能を実現する。また、図１に示した出力装置１３０は、図５に示した端末３２０におけるＲＯＭ５０２、ＲＡＭ５０３、磁気ディスク５０５、光ディスク５０７などに記録されたプログラムやデータを用いて、ＣＰＵ５０１が所定のプログラムを実行し、端末３２０における各部を制御することによってその機能を実現する。
【００８８】
すなわち、実施例のサーバ３０１は、サーバ３０１における記録媒体としてのＲＯＭ４０２に記録されている音声情報選択プログラムを実行することにより、図１に示した音声情報選択装置１００が備える機能を、図２に示した音声情報選択処理手順で実行することができる。
【００８９】
（サーバの処理の内容）
つぎに、サーバ３０１の処理の内容について説明する。図６は、サーバの処理の内容を示すフローチャートである。図６のフローチャートにおいて、まず、端末３２０から利用者の現在地点の位置情報を取得する（ステップＳ６０１）。
【００９０】
ついで、ステップＳ６０１において取得された利用者の現在地点の位置情報に基づいて、利用者が室内にいるか否かを判断する（ステップＳ６０２）。ステップＳ６０２において利用者が室内にいる場合（ステップＳ６０２：Ｙｅｓ）、ステップＳ６０２において利用者がいると判断された部屋の施設内の階数を取得する（ステップＳ６０３）。
【００９１】
そして、ステップＳ６０３において取得された階数が、所定階数以外か否かを判断する（ステップＳ６０４）。ステップＳ６０４において所定階数以外とは、地階や、たとえば窓を開けていても外部のそれぞれの音声情報が混合してしまい各音声情報が判別できない階数以上の場合である。ステップＳ６０４において所定階数以外であると判断された場合（ステップＳ６０４：Ｙｅｓ）、利用者が遮音された状況であると判断して（ステップＳ６０５）、音声情報選択処理をおこない（ステップＳ６０６）、一連の処理を終了する。
【００９２】
一方、ステップＳ６０２において利用者が室内にいないと判断された場合（ステップＳ６０２：Ｎｏ）、利用者が車両内にいるか否かを判断する（ステップＳ６０７）。ステップＳ６０７において利用者が車両内にいると判断された場合（ステップＳ６０７：Ｙｅｓ）、または、ステップＳ６０４において所定階数以外ではないと判断された場合（ステップＳ６０４：Ｎｏ）、室内または車両内の空調機が稼働しているか否かを判断する（ステップＳ６０８）。ステップＳ６０８において空調機が稼働していると判断された場合（ステップＳ６０８：Ｙｅｓ）、ステップＳ６０５およびステップＳ６０６に進み、利用者が遮音された状況であると判断して、音声情報選択処理をおこない、一連の処理を終了する。
【００９３】
また、ステップＳ６０７において利用者が車両内にいないと判断された場合（ステップＳ６０７：Ｎｏ）、または、ステップＳ６０８において空調機が稼働していないと判断された場合（ステップＳ６０８：Ｎｏ）、利用者がヘッドフォンを用いて楽曲再生中か否かを判断する（ステップＳ６０９）。ステップＳ６０９において、利用者がヘッドフォンを用いて楽曲再生中ではないと判断された場合（ステップＳ６０９：Ｎｏ）、ステップＳ６０１に戻り、以降の処理を繰り返しおこなう。そして、ステップＳ６０９において利用者がヘッドフォンを用いて楽曲再生中であると判断された場合（ステップＳ６０９：Ｙｅｓ）、ステップＳ６０５およびステップＳ６０６に進み、利用者が遮音された状況であると判断して、音声情報選択処理をおこない、一連の処理を終了する。
【００９４】
なお、図６のフローチャートにおいては、ステップＳ６０８において空調機が稼働しているか否かを判断しているが、これに限るものではない。具体的には、たとえば、室内または車両内の窓の開閉状態を検知してもよい。そして、窓が閉じている状態であると検知された場合、ステップＳ６０５に進み、窓が開いている状態であると判断された場合、ステップＳ６０９に進む構成でもよい。
【００９５】
（サーバ３０１の音声情報選択処理の内容）
つぎに、図６のステップＳ６０６におけるサーバ３０１の音声情報選択処理の内容について説明する。図７は、サーバの音声情報選択処理の内容を示すフローチャートである。図７のフローチャートにおいて、まず、図６のステップＳ６０１において取得された利用者の現在地点の位置情報に基づいて、環境音ＤＢ３１１から利用者の現在地点に関連付けられた音声情報を選択する（ステップＳ７０１）。
【００９６】
また、端末３２０から現在の日時を取得する（ステップＳ７０２）。そして、ステップＳ７０２において取得された現在の日時に基づいて、天候ＤＢ３１６から現在の天気に関する情報を取得する（ステップＳ７０３）。さらに、ステップＳ７０３において取得された現在の天気に関する情報に基づいて、ステップＳ７０１において取得された音声情報から現在の天気に関連付けられた音声情報を選択する（ステップＳ７０４）。
【００９７】
また、端末３２０から利用者の固有情報を取得する（ステップＳ７０５）。そして、図６のステップＳ６０１において取得された利用者の現在地点の位置情報およびステップＳ７０５において取得された利用者の固有情報に基づいて、イベントＤＢ３１７から利用者の現在地点を含む地域において利用者の所望するイベント（催事など）を検索する（ステップＳ７０６）。さらに、環境音ＤＢ３１１から、ステップＳ７０６において検索されたイベントに関連付けられた音声情報を選択する（ステップＳ７０７）。
【００９８】
つぎに、ステップＳ７０４またはステップＳ７０７において選択された音声情報を所定のタイミングで端末３２０に出力させるための、音声再生タイミングプログラムを生成する（ステップＳ７０８）。そして、ステップＳ７０４またはステップＳ７０７において選択された音声情報およびステップＳ７０８において生成された音声再生タイミングプログラムを端末３２０に送信して（ステップＳ７０９）、一連の処理を終了する。
【００９９】
なお、図７のフローチャートにおいては、ステップＳ７０１において環境音ＤＢ３１１から利用者の現在地点に関連付けられた音声情報を選択するとしているが、これに限るものではない。具体的には、たとえば、図６のステップＳ６０４：Ｙｅｓにおいて所定階数以外であると判断された場合、施設内の１階に関連付けられた音声情報を選択してもよい。
【０１００】
また、図７のフローチャートにおいては、ステップＳ７０１において環境音ＤＢ３１１から利用者の現在地点に関連付けられた音声情報を選択するとしているが、これに限るものではない。具体的には、たとえば、利用者の現在地点の含まれる地域に関連付けられた音声情報を、利用者の現在地点において利用者が外部から遮音されていない状況で聴取不可能な音声情報であっても選択してよい。
【０１０１】
また、図７のフローチャートにおいては、ステップＳ７０８において音声再生タイミングプログラムを生成するとしているが、これに限るものではない。具体的には、たとえば、ステップＳ７０２において現在の日時を取得した後に、ステップＳ７０１において取得された音声情報やステップＳ７０７において取得された音声情報から、現在の日時に関連付けられた音声情報を選択してもよい。この場合、ステップＳ７０８を省略し、ステップＳ７０９においては、現在の日時に関連付けられた音声情報を端末３２０に送信すればよい。
【０１０２】
（端末の音声出力処理の内容）
つぎに、端末３２０の音声出力処理の内容について説明する。図８は、端末の音声出力処理の内容について示すフローチャートである。図８においては、まず、サーバ３０１から音声情報を受信するまで待機する（ステップＳ８０１：Ｎｏのループ）。
【０１０３】
そして、ステップＳ８０１において、サーバ３０１から音声情報を受信した場合（ステップＳ８０１：Ｙｅｓ）、音声情報とともにサーバ３０１から音声再生タイミングプログラムを受信したか否かを判断する（ステップＳ８０２）。
【０１０４】
ステップＳ８０２において音声再生タイミングプログラムを受信したと判断された場合（ステップＳ８０２：Ｙｅｓ）、受信された音声再生タイミングプログラムを実行して、音声再生タイミングになるまで待機する（ステップＳ８０３：Ｎｏのループ）。ステップＳ８０３において音声再生タイミングになった場合（ステップＳ８０３：Ｙｅｓ）、タイミングに合致した音声情報を出力して（ステップＳ８０４）、一連の処理を終了する。
【０１０５】
一方、ステップＳ８０２において音声再生タイミングプログラムを受信していないと判断された場合（ステップＳ８０２：Ｎｏ）、ステップＳ８０１：Ｙｅｓにおいて取得された音声情報は、現在の日時に関連付けられた音声情報であるため、ステップＳ８０４に進み、そのままステップＳ８０１：Ｙｅｓにおいて取得された音声情報を出力して、一連の処理を終了する。
【０１０６】
（音響音ＤＢの一例）
つぎに、環境音ＤＢ３１１の一例について説明する。図９は、環境音ＤＢの一例について示す説明図である。図９においては、図３に示す環境音ＤＢ３１１のうちの鳥や虫の声ＤＢ３１２である。
【０１０７】
サーバ３０１は、たとえば、利用者の現在地点が含まれる地域が本州の農村の場合、地理的分布要素における生態系分布が「本州」で、環境要件分布が「農村」であるＡＡ目ａａ科Ａａ種の鳥と、ＣＣ目ｃｃ科Ｃｃ種の鳥との鳴き声に関する音声情報（ＡＡａａＡａ００１およびＣＣｃｃＣｃ００１）を選択する。ここで、たとえば現在の天気が曇りの場合、上記２種の音声情報から、天候要素が「曇り」であるＡＡ目ａａ科Ａａ種の鳥の鳴き声に関する音声情報（ＡＡａａＡａ００１）をさらに選択する。また、たとえば現在の日時が夏の夕方の場合、時間的分布要素における気候が「夏」で、時間帯が「夕方」であるＣＣ目ｃｃ科Ｃｃ種の鳥の鳴き声に関する音声情報（ＣＣｃｃＣｃ００１）をさらに選択する。
【０１０８】
なお、サーバ３０１は、たとえば時間的分布要素に関わらず、ＡＡ目ａａ科Ａａ種の鳥と、ＣＣ目ｃｃ科Ｃｃ種の鳥との鳴き声に関する音声情報（ＡＡａａＡａ００１およびＣＣｃｃＣｃ００１）を選択してもよい。この場合、時間的分布要素に基づいて、音声再生タイミングプログラムを生成し、端末３２０においてＡＡ目ａａ科Ａａ種の鳥またはＣＣ目ｃｃ科Ｃｃ種の鳥の鳴き声が聞こえる気候および時間帯に鳴き声に関する音声情報（ＡＡａａＡａ００１およびＣＣｃｃＣｃ００１）が出力されるようにすればよい。
【０１０９】
また、鳥や虫の鳴き声ＤＢ３１２におけるイベント要素は、たとえば地理的分布要素、時間的分布要素および天候要素が合致した場合に、常に鳴き声が聞こえる場合、「定期」であるとし、たとえば年に一回の祭事や運動会などのときに鳴き声が聞こえない場合、「不定期」であるとする。
【０１１０】
（利用者の現在地点が含まれる地域の一例）
つぎに、図１０を用いて、利用者の現在地点が含まれる地域の一例について説明する。図１０は、利用者の現在地点が含まれる地域の一例について示す説明図である。図１０においては、利用者の現在地点１００１と、Ａ地域１０１０と、Ｂ地域１０２０と、Ｃ地域１０３０とを示している。ここで、利用者の現在地点１００１において、利用者が外部から遮音されていない状況で聴取可能な音声情報に関連付けられた地域は、Ａ地域１０１０のみである。
【０１１１】
また、図１０においては、たとえば利用者の固有情報に基づいて、Ｂ地域１０２０に関連付けられた音声情報が選択された場合、すなわちＢ地域１０２０に関連付けられた音声情報が、利用者が所望する音声情報の場合、Ｂ地域１０２０の範囲を拡大してＢ’地域１０２１とする。そして、サーバ３０１は、利用者の現在地点１００１が、Ｂ’地域１０２１に含まれる場合、Ｂ地域１０２０に関連付けられた音声情報が、利用者が外部から遮音されていない状況で聴取不可能な音声情報であっても、Ｂ地域１０２０に関連付けられた音声情報を選択してもよい。
【０１１２】
（音声情報が関連付けられた地域の範囲の一例）
つぎに、音声情報が関連付けられた地域の範囲の一例について説明する。図１１は、音声情報が関連付けられた地域の範囲の一例について示す説明図である。図１１においては、音声情報が関連付けられたＤ地域１１００と、利用者の現在地点１１０１と、を示している。利用者の現在地点１１０１は、たとえば施設１１１０内の１２階であるとする。このとき、サーバ３０１は、Ｄ地域１１００に関連付けられた音声情報が、１２階にいる利用者が外部から遮音されていない状況で聴取不可能な音声情報であっても、同一の施設の１階の部屋１１１１において利用者が外部から遮音されていない状況で聴取可能であれば、Ｄ地域１１００に関連付けられた音声情報を選択してもよい。すなわち、音声情報が関連付けられたＤ地域１１００の範囲を、地面方向のみでなく、高さ方向に広げてもよい。
【０１１３】
上述したように、実施例の音声情報再生システム３００によれば、サーバ３０１によって、端末３２０から取得された室内や車両内の窓の開閉状態や空調機の動作状態、または端末３２０の設置された部屋の施設内の階数に関する情報などの情報に基づいて、利用者が遮音された状況であるか否かを判断することができる。そして、利用者が遮音された状況であると判断された場合、サーバ３０１によって環境音ＤＢ３１１から利用者が生活を実感できるような音声情報を選択して、端末３２０へ送信することができる。さらに、端末３２０においては、サーバ３０１から送信された、利用者が生活を実感できるような音声情報を出力することができる。
【０１１４】
これによって、利用者は、窓が閉まっている場合でも、その土地に生活していることを実感することができ、精神的な安定を維持することができる。また、利用者は、たとえば、地域内の音声情報であれば、家族構成や趣味・嗜好に応じて、実際には窓を開けていても聴取不可能な音声情報を聴取することができる。さらに、利用者は、施設内の地階や、たとえば窓を開けていても外部のそれぞれの音声情報が混合してしまい各音声情報が判別できない階数以上の室内にいる場合でも、生活を実感できるような音声情報を聴取することができるので、高層マンションなどに住んでいても、その土地に生活していることを実感することができ、精神的な安定を維持することができる。
【０１１５】
以上説明したように、本発明の音声情報選択装置、音声情報選択方法、音声情報選択プログラムおよび記録媒体によれば、利用者が外部から遮音されている状況の場合に、利用者が現在地点にいることを実感することのできる環境音をデータベースから選択することができる。
【０１１６】
なお、本実施の形態で説明した音声情報選択方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１１７】
１００  音声情報選択装置
１０１  位置取得部
１０２  日時取得部
１０３  天気取得部
１０４  利用者情報取得部
１０５  窓開閉検知部
１０６  空調機動作検知部
１０７  階数取得部
１０８  楽曲再生検知部
１０９  判断部
１１０  音声選択部
１１１  抽出部
１１２  生成部
１１３  送信部
１２０  音声情報データベース
１３０  出力装置
【図１】
2010197882.tif 000003
【図２】
2010197882.tif 000004
【図３】
2010197882.tif 000005
【図４】
2010197882.tif 000006
【図５】
2010197882.tif 000007
【図６】
2010197882.tif 000008
【図７】
2010197882.tif 000009
【図８】
2010197882.tif 000010
【図９】
2010197882.tif 000011
【図１０】
2010197882.tif 000012
【図１１】
2010197882.tif 000013